(57)【要約】【課題】サービス業者が挙式ユーザによる楽曲選択の進捗具合を簡単に確認できるようにした披露宴用放送楽曲の選曲支援システムを提供する。【解決手段】サーバ装置１０は、通信端末３０に対してアプリケーション画面を表示させるインタフェース部１０ａと、挙式ユーザ毎に披露宴シーンの進行順序の登録操作を受け付けて登録する披露宴情報登録部１０ｃと、挙式ユーザにより指定された披露宴シーンに対する推奨曲リストを生成する推奨曲リスト生成部１０ｄと、披露宴シーン毎に放送すべき楽曲の選択操作を受け付ける選曲登録部１０ｅと、楽曲選択の進捗確認画面を表示させる進捗管理部１０ｆと、選択された楽曲の全てを放送順に列挙した選曲リストと、該リストに含まれた楽曲の演奏データファイルとの少なくともいずれか一方をダウンロード可能に準備する出力部１０ｇとを備える。【選択図】図１
2014123351.tif 000002
【特許請求の範囲】
【請求項１】
通信端末からネットワーク上のサーバ装置を操作して、披露宴で放送される楽曲を選曲できるようにした選曲支援方法であって、
通信端末に対してアプリケーション画面を表示させるステップと、
前記アプリケーション画面を通じて、挙式ユーザ毎に披露宴シーンの進行順序を登録する操作を受け付けるステップと、
前記アプリケーション画面を通じて、前記挙式ユーザによる披露宴シーンの選択を受け付けて推奨曲リストを生成表示し、披露宴シーン毎に放送すべき楽曲の選択操作を受け付けるステップと、
前記挙式ユーザによって選択された楽曲を放送順に列挙した選曲リストと、該選曲リストに含まれた楽曲の演奏データファイルとのうち少なくとも一方をダウンロード可能に準備するステップと、
前記ステップのいずれかが実行された後に、挙式ユーザの楽曲選択の進捗確認画面を表示させるステップと、を備える、ネットワークを通じての披露宴用放送楽曲の選曲支援方法。
【請求項２】
請求項１において、
前記推奨曲リストでは、複数の楽曲を、それぞれの楽曲に対して予め設定された宴会シーン毎の推奨度合を示す基本ポイントに基づいた順位で表示する、ネットワークを通じての披露宴用放送楽曲の選曲支援方法。
【請求項３】
請求項２において、
前記推奨曲リストでは、複数の楽曲を、それぞれの楽曲に対して、前記基本ポイントに、季節性及びそれ以外の適合性を示す追加ポイントを加味した順位で表示する、ネットワークを通じての披露宴用放送楽曲の選曲支援方法。
【請求項４】
請求項２又は３において、
前記披露宴シーンに対して放送すべき楽曲の確定操作がされると、該楽曲が現時点までに複数の挙式ユーザによって選曲されてきた延べ回数を示す被選択ポイントを増加させるステップを更に備えており、
前記推奨曲リストでは、複数の楽曲を、それぞれの楽曲に対して、前記基本ポイントに前記被選択ポイントを加味した順位で表示する、ネットワークを通じての披露宴用放送楽曲の選曲支援方法。
【請求項５】
請求項１〜４のいずれかにおいて、
複数の楽曲をまとめた楽曲パッケージがジャンル毎に準備されており、それらの楽曲パッケージの名称を表示して、前記披露宴シーン毎に放送すべき楽曲の合間、又は楽曲が選択されていない披露宴シーンに放送すべき楽曲パッケージの選択操作を受け付けるステップを更に備える、ネットワークを通じての披露宴用放送楽曲の選曲支援方法。
【請求項６】
請求項１〜４のいずれかにおいて、
前記選曲リストに含まれた楽曲の演奏データファイルのダウンロードを許容するステップを更に備える、ネットワークを通じての披露宴用放送楽曲の選曲支援方法。
【請求項７】
請求項５において、
前記選曲リスト及び選択された楽曲パッケージに含まれた楽曲の演奏データファイルのダウンロードを許容するステップを更に備える、ネットワークを通じての披露宴用放送楽曲の選曲支援方法。
【請求項８】
請求項１〜７のいずれかにおいて、
前記アプリケーション画面を通じて、披露宴シーンの進行順序を変更する操作を受け付けるステップを更に備えている、ネットワークを通じての披露宴用放送楽曲の選曲支援方法。
【請求項９】
請求項１〜８のいずれかにおいて、
挙式ユーザの持込み楽曲を受け入れるステップを更に備え、
前記推奨曲リストを生成表示し、披露宴シーン毎に放送すべき楽曲の選択操作を受け付けるステップでは、前記持込み楽曲を含めた推奨曲リストを生成する、ネットワークを通じての披露宴用放送楽曲の選曲支援方法。
【請求項１０】
請求項１〜９のいずれかにおいて、
楽曲毎の課金単価がデータベースに登録されており、
披露宴シーン毎に放送すべき楽曲の選択の完了操作がなされると、
前記課金単価に基づいて、選択された全楽曲の使用料を請求するための課金情報を生成するステップを更に備える、ネットワークを通じての披露宴用放送楽曲の選曲支援方法。
【請求項１１】
請求項１〜１０のいずれかにおいて、
披露宴シーン毎に放送すべき楽曲の選択操作を受け付けるステップでは、楽曲の試聴を許容する、ネットワークを通じての披露宴用放送楽曲の選曲支援方法。
【請求項１２】
通信端末からネットワーク上のサーバ装置を操作して、披露宴で放送される楽曲を選曲できるようにした選曲支援システムであって、
複数の通信端末と、サーバ装置とからなり、
前記サーバ装置は、
通信端末に対してアプリケーション画面を表示させるインタフェース部と、
挙式ユーザ毎に披露宴シーンの進行順序の登録操作を受け付けて登録する披露宴情報登録部と、
前記挙式ユーザにより指定された披露宴シーンに対する推奨曲リストを生成する推奨曲リスト生成部と、
披露宴シーン毎に放送すべき楽曲の選択操作を受け付ける選曲登録部と、
楽曲選択の進捗確認画面を表示させる進捗管理部と、
前記選択された楽曲の全てを放送順に列挙した選曲リストと、該リストに含まれた楽曲の演奏データファイルとのうち少なくとも一方をダウンロード可能に準備する出力部とを備えた、ネットワークを通じての披露宴用放送楽曲の選曲支援システム。
【請求項１３】
請求項１２において、
利用可能な楽曲の演奏データファイルを予め蓄積した楽曲データベース装置を更に備えた、ネットワークを通じての披露宴用放送楽曲の選曲支援システム。
【請求項１４】
請求項１３において、
前記楽曲データベース装置は、前記利用可能な楽曲の演奏データファイルと共に、それらの楽曲の試聴用データファイルを予め蓄積している、ネットワークを通じての披露宴用放送楽曲の選曲支援システム。
【請求項１５】
請求項１３又は１４において、
前記楽曲データベース装置は、前記サーバ装置とは分離してネットワークに接続されている、ネットワークを通じての披露宴用放送楽曲の選曲支援システム。
【請求項１６】
請求項１２〜１５のいずれかにおいて、
前記推奨曲リストに含まれる複数の楽曲は、披露宴シーン毎の推奨度合を示す基本ポイントがそれぞれ設定されてデータベース化されており、
前記推奨曲リスト生成部は、複数の楽曲を、前記基本ポイントに基づいて順位付けして前記推奨曲リストを生成する、披露宴用放送楽曲の選曲支援システム。
【請求項１７】
請求項１６において、
前記推奨曲リストに含まれる複数の楽曲は、前記基本ポイントに加えて、季節性及びそれ以外の適合性を示す追加ポイントがそれぞれ設定されてデータベース化されており、
前記推奨曲リスト生成部は、複数の楽曲を、前記基本ポイントに前記追加ポイントを加味した順位付けして前記推奨曲リストを生成する、ネットワークを通じての披露宴用放送楽曲の選曲支援システム。
【請求項１８】
請求項１６又は１７において、
前記推奨曲リストに含まれる複数の楽曲は、前記基本ポイントに加えて、現時点までに複数の挙式ユーザによって選曲されてきた延べ回数を示す被選択ポイントがそれぞれ設定されてデータベース化されており、
前記推奨曲リスト生成部は、複数の楽曲を、それぞれの楽曲に対して、前記基本ポイントに、前記被選択ポイントを加味した順位付けして前記推奨曲リストを生成し、
前記選曲登録部は、前記披露宴シーンに対して放送すべき楽曲が確定操作されると、該楽曲の被選択ポイントを増加させる、ネットワークを通じての披露宴用放送楽曲の選曲支援システム。
【請求項１９】
請求項１２〜１８のいずれかにおいて、
複数の楽曲をまとめた楽曲パッケージがジャンル毎に準備されており、
前記推奨曲リスト生成部は、前記楽曲パッケージの名称を表示して、前記披露宴シーン毎に放送すべき楽曲の合間、又は楽曲が選択されていない披露宴シーンに放送すべき楽曲パッケージの選択操作を受け付ける、ネットワークを通じての披露宴用放送楽曲の選曲支援システム。
【請求項２０】
請求項１２〜１８のいずれかにおいて、
前記出力部は、前記選曲リストに含まれた楽曲の演奏データファイルのダウンロードを許容する、ネットワークを通じての披露宴用放送楽曲の選曲支援システム。
【請求項２１】
請求項１９において、
前記出力部は、前記選曲リスト及び選択された楽曲パッケージに含まれた楽曲の演奏データファイルのダウンロードを許容する、ネットワークを通じての披露宴用放送楽曲の選曲支援システム。
【請求項２２】
請求項１２〜２１のいずれかにおいて、
前記披露宴情報登録部は、披露宴シーンの進行順序の変更操作を更に受け付ける、ネットワークを通じての披露宴用放送楽曲の選曲支援システム。
【請求項２３】
請求項１２〜２２のいずれかにおいて、
前記推奨曲リスト生成部は、
挙式ユーザの持込み楽曲を受け入れて、その持込み楽曲を含めた推奨曲リストを生成する機能を有する、ネットワークを通じての披露宴用放送楽曲の選曲支援システム。
【請求項２４】
請求項１２〜２３のいずれかにおいて、
楽曲毎の課金単価がデータベースに登録されており、
披露宴シーン毎に放送すべき楽曲の選択の完了操作がなされると、前記課金単価に基づいて、選択された全楽曲の使用料を請求するための課金情報を生成する会計処理部を更に備える、ネットワークを通じての披露宴用放送楽曲の選曲支援システム。
【請求項２５】
請求項１２〜２４のいずれかにおいて、
披露宴シーン毎に放送すべき楽曲の選択操作を受け付ける際には、楽曲の試聴を許容する、ネットワークを通じての披露宴用放送楽曲の選曲支援システム。
【請求項２６】
請求項１〜１１のいずれかに記載の方法を、ネットワーク上のサーバ装置に実行させるように構成された、コンピュータ用プログラム。
【請求項２７】
請求項２５に記載のコンピュータ用プログラムをインストールしているウェブサーバ装置。
【請求項２８】
請求項２５に記載のコンピュータ用プログラムをコンピュータに読み取り可能な情報として格納している記憶メディア。
【請求項２９】
請求項２０に記載の選曲支援システムに含まれるメディア制作端末であって、
前記選曲リストに含まれた楽曲の演奏データファイルをダウンロードして、それらの演奏データファイルを収録した楽曲メディアを制作する、メディア制作端末。
【請求項３０】
請求項２０に記載の選曲支援システムに含まれる楽曲放送端末であって、
前記選曲リストに含まれた楽曲の演奏データファイルをストリーミング再生して放送する、楽曲放送端末。
【請求項３１】
請求項２０に記載の選曲支援システムに含まれる楽曲放送端末であって、
前記選曲リストに含まれた楽曲の演奏データファイルをダウンロードして、操作に応じて、それらの演奏データファイルを放送させる、楽曲放送端末。
【請求項３２】
請求項２１に記載の選曲支援システムに含まれるメディア制作端末であって、
前記選曲リスト及び選択された楽曲パッケージに含まれた楽曲の演奏データファイルをダウンロードして、それらの演奏データファイルを収録した楽曲メディアを制作する、メディア制作端末。
【請求項３３】
請求項２１に記載の選曲支援システムに含まれる楽曲放送端末であって、
前記選曲リスト及び選択された楽曲パッケージに含まれた楽曲の演奏データファイルをストリーミング再生して放送する、楽曲放送端末。
【請求項３４】
請求項２１に記載の選曲支援システムに含まれる楽曲放送端末であって、
前記選曲リスト及び選択された楽曲パッケージに含まれた楽曲の演奏データファイルをダウンロードして、操作に応じて、それらの演奏データファイルを放送させる、楽曲放送端末。
【請求項３５】
請求項３１又は３４に記載の楽曲放送端末において、
前記演奏データファイルの放送の際には、楽曲のフェードイン、フェードアウトがワンタッチで実施できる、楽曲放送端末。
【請求項３６】
請求項３５に記載の楽曲放送端末において、
前記演奏データファイルの放送での楽曲と楽曲との繋ぎ方法が、所定の操作によって予め設定できる、楽曲放送端末。
【請求項３７】
請求項１−１１のいずれかにおいて、
前記推奨曲リストを生成表示し、披露宴シーン毎に放送すべき楽曲のおまかせ選択操作を受け付けると、前記挙式ユーザの代わりに前記推奨曲リストの上位の楽曲を自動的に選択するステップを更に備える、ネットワークを通じての披露宴用放送楽曲の選曲支援方法。
【請求項３８】
請求項１２−２５のいずれかにおいて、
前記選曲登録部は、披露宴シーン毎に放送すべき楽曲のおまかせ選択操作を更に受け付けて、前記挙式ユーザが選択操作した楽曲及び、おまかせ選択操作に応じて、前記挙式ユーザの代わりに前記推奨曲リストの上位の楽曲を自動的に選択した楽曲を登録する、ネットワークを通じての披露宴用放送楽曲の選曲支援システム。
【発明の詳細な説明】
【技術分野】
【０００１】
本発明は、宴会場でＢＧＭとして放送すべき楽曲を挙式ユーザによって選択させる放送楽曲の選曲支援方法、及びそのシステムに関する。
【背景技術】
【０００２】
上記のような楽曲の選曲支援方法やそのシステムに関連して、従来種々の技術が提案されている。
例えば次の特許文献１には、披露宴等の会場に設置するＢＧＭ（バックグラウンドミュージック）システムにおいて、場面毎にＢＧＭとすべき楽曲を検索する際に、曲調やジャンル等の属性に基づいて楽曲を検索し、検索された楽曲を場面に対応付けて記憶することが記載されている。
【０００３】
特許文献２には、結婚式のシーン毎に、曲名、アーティスト名、ジャンル等の属性データに基づいて楽曲を検索して、検索された楽曲を音楽配信サイトからダウンロードすることが記載されている。
【０００４】
特許文献３には、宴会用音楽再生システムにおいて、場面毎に、複数の楽曲を含んだ音楽選択画面を表示し、そこで選択した楽曲を試聴させて、楽曲と場面とを関連付けて登録することが記載されている。
【０００５】
特許文献４には、結婚式シミュレータにおいて、シーン毎に、そのシーンに対応した推薦曲を列挙した推薦曲リストを用意しおき、そのリストから選択した楽曲を試聴させて、シーン毎の楽曲の選択リストを出力し、またＣＤやＤＶＤを作成することが記載されている。
【先行技術文献】
【特許文献】
【０００６】
【特許文献１】特開平８−２４９８６５号公報
【特許文献２】特開２００３−７６３７６号公報
【特許文献３】特開２００４−３２６７２６号公報
【特許文献４】特開２００５−４２６２号公報
【発明の概要】
【発明が解決しようとする課題】
【０００７】
ところで結婚式披露宴でＢＧＭとして放送すべき楽曲は全体では相当な曲数になり、挙式ユーザが僅かな時間で全曲を決定するのは困難である。そのため披露宴のサービスを提供するサービス業者は挙式ユーザによる楽曲選択の進捗具合を適宜確認しフォローする必要があるが、そのような仕組みは、上記特許文献１〜４のいずれにも提案されていない。そこで本発明は、サービス業者が挙式ユーザによる楽曲選択の進捗具合を簡単に確認できるようにした披露宴用放送楽曲の選曲支援方法及びそのシステムを提供することを目的とする。
【課題を解決するための手段】
【０００８】
以上の目的を達成するため提案される本発明は、ネットワークを通じての披露宴用放送楽曲の選曲支援方法、そのシステム、更にコンピュータに格納されるプログラム、ウェブ上に設置されるサーバ装置、記録媒体を含んでいる。
【０００９】
本発明による方法は、通信端末からネットワーク上のサーバ装置を操作して、披露宴で放送される楽曲を選曲できるようにした選曲支援方法であって、通信端末に対してアプリケーション画面を表示させるステップと、前記アプリケーション画面を通じて、挙式ユーザ毎に披露宴シーンの進行順序を登録する操作を受け付けるステップと、前記アプリケーション画面を通じて、前記挙式ユーザによる披露宴シーンの選択を受け付けて推奨曲リストを生成表示し、披露宴シーン毎に放送すべき楽曲の選択操作を受け付けるステップと、前記挙式ユーザによって選択された楽曲を放送順に列挙した選曲リストと、該選曲リストに含まれた楽曲の演奏データファイルとのうち少なくとも一方をダウンロード可能に準備するステップと、前記ステップのいずれかが実行された後に、挙式ユーザの楽曲選択の進捗確認画面を表示させるステップと、を備える。
【００１０】
前記推奨曲リストでは、複数の楽曲を、それぞれの楽曲に対して予め設定された宴会シーン毎の推奨度合を示す基本ポイントに基づいた順位で表示するようにしてもよい。
【００１１】
前記推奨曲リストでは、複数の楽曲を、それぞれの楽曲に対して、前記基本ポイントに、季節性及びそれ以外の適合性を示す追加ポイントを加味した順位で表示するようにしてもよい。
【００１２】
本発明による方法は、前記披露宴シーンに対して放送すべき楽曲の確定操作がされると、該楽曲が現時点までに複数の挙式ユーザによって選曲されてきた延べ回数を示す被選択ポイントを増加させるステップを更に備えており、前記推奨曲リストでは、複数の楽曲を、それぞれの楽曲に対して、前記基本ポイントに前記被選択ポイントを加味した順位で表示するようにしてもよい。
【００１３】
本発明による方法は、複数の楽曲をまとめた楽曲パッケージがジャンル毎に準備されており、それらの楽曲パッケージの名称を表示して、前記披露宴シーン毎に放送すべき楽曲の合間、又は楽曲が選択されていない披露宴シーンに放送すべき楽曲パッケージの選択操作を受け付けるステップを更に備えるようにしてもよい。
【００１４】
本発明による方法は、前記選曲リストに含まれた楽曲の演奏データファイルのダウンロードを許容するステップを更に備えるようにしてもよい。
【００１５】
本発明による方法は、前記選曲リスト及び選択された楽曲パッケージに含まれた楽曲の演奏データファイルのダウンロードを許容するステップを更に備えるようにしてもよい。
【００１６】
本発明による方法は、前記アプリケーション画面を通じて、披露宴シーンの進行順序を変更する操作を受け付けるステップを更に備えるようにしてもよい。
【００１７】
本発明による方法は、挙式ユーザの持込み楽曲を受け入れるステップを更に備え、前記推奨曲リストを生成表示し、披露宴シーン毎に放送すべき楽曲の選択操作を受け付けるステップでは、前記持込み楽曲を含めた推奨曲リストを生成するようにしてもよい。
【００１８】
本発明による方法は、楽曲毎の課金単価がデータベースに登録されており、披露宴シーン毎に放送すべき楽曲の選択の完了操作がなされると、前記課金単価に基づいて、選択された全楽曲の使用料を請求するための課金情報を生成するステップを更に備えるようにしてもよい。
【００１９】
本発明による方法は、披露宴シーン毎に放送すべき楽曲の選択操作を受け付けるステップでは、楽曲の試聴を許容するようにしてもよい。
【００２０】
本発明による方法は、前記推奨曲リストを生成表示し、披露宴シーン毎に放送すべき楽曲のおまかせ選択操作を受け付けると、前記挙式ユーザの代わりに前記推奨曲リストの上位の楽曲を自動的に選択するステップを更に備えるようにしてもよい。
【００２１】
本発明による選曲支援システムは、通信端末からネットワーク上のサーバ装置を操作して、披露宴で放送される楽曲を選曲できるようにした選曲支援システムであって、複数の通信端末と、サーバ装置とからなり、前記サーバ装置は、通信端末に対してアプリケーション画面を表示させるインタフェース部と、挙式ユーザ毎に披露宴シーンの進行順序の登録操作を受け付けて登録する披露宴情報登録部と、前記挙式ユーザにより指定された披露宴シーンに対する推奨曲リストを生成する推奨曲リスト生成部と、披露宴シーン毎に放送すべき楽曲の選択操作を受け付ける選曲登録部と、楽曲選択の進捗確認画面を表示させる進捗管理部と、前記選択された楽曲の全てを放送順に列挙した選曲リストと、該リストに含まれた楽曲の演奏データファイルとのうち少なくとも一方をダウンロード可能に準備する出力部とを備える。
【００２２】
本発明による選曲支援システムは、利用可能な楽曲の演奏データファイルを予め蓄積した楽曲データベース装置を更に備えるようにしてもよい。
【００２３】
前記楽曲データベース装置は、前記利用可能な楽曲の演奏データファイルと共に、それらの楽曲の試聴用データファイルを予め蓄積しているようにしてもよい。
【００２４】
前記楽曲データベース装置は、前記サーバ装置とは分離してネットワークに接続されているようにしてもよい。
【００２５】
前記推奨曲リストに含まれる複数の楽曲は、披露宴シーン毎の推奨度合を示す基本ポイントがそれぞれ設定されてデータベース化されており、前記推奨曲リスト生成部は、複数の楽曲を、前記基本ポイントに基づいて順位付けして前記推奨曲リストを生成するようにしてもよい。
【００２６】
前記推奨曲リストに含まれる複数の楽曲は、前記基本ポイントに加えて、季節性及びそれ以外の適合性を示す追加ポイントがそれぞれ設定されてデータベース化されており、前記推奨曲リスト生成部は、複数の楽曲を、前記基本ポイントに前記追加ポイントを加味した順位付けして前記推奨曲リストを生成するようにしてもよい。
【００２７】
前記推奨曲リストに含まれる複数の楽曲は、前記基本ポイントに加えて、現時点までに複数の挙式ユーザによって選曲されてきた延べ回数を示す被選択ポイントがそれぞれ設定されてデータベース化されており、前記推奨曲リスト生成部は、複数の楽曲を、それぞれの楽曲に対して、前記基本ポイントに、前記被選択ポイントを加味した順位付けして前記推奨曲リストを生成し、前記選曲登録部は、前記披露宴シーンに対して放送すべき楽曲が確定操作されると、該楽曲の被選択ポイントを増加させるようにしてもよい。
【００２８】
複数の楽曲をまとめた楽曲パッケージがジャンル毎に準備されており、前記推奨曲リスト生成部は、前記楽曲パッケージの名称を表示して、前記披露宴シーン毎に放送すべき楽曲の合間、又は楽曲が選択されていない披露宴シーンに放送すべき楽曲パッケージの選択操作を受け付けるようにしてもよい。
【００２９】
前記出力部は、前記選曲リストに含まれた楽曲の演奏データファイルのダウンロードを許容するようにしてもよい。
【００３０】
前記出力部は、前記選曲リスト及び選択された楽曲パッケージに含まれた楽曲の演奏データファイルのダウンロードを許容するようにしてもよい。
【００３１】
前記披露宴情報登録部は、披露宴シーンの進行順序の変更操作を更に受け付けるようにしてもよい。
【００３２】
前記推奨曲リスト生成部は、挙式ユーザの持込み楽曲を受け入れて、その持込み楽曲を含めた推奨曲リストを生成する機能を有するようにしてもよい。
【００３３】
本発明による選曲支援システムは、楽曲毎の課金単価がデータベースに登録されており、披露宴シーン毎に放送すべき楽曲の選択の完了操作がなされると、前記課金単価に基づいて、選択された全楽曲の使用料を請求するための課金情報を生成する会計処理部を更に備えてもよい。
【００３４】
本発明による選曲支援システムは、披露宴シーン毎に放送すべき楽曲の選択操作を受け付ける際には、楽曲の試聴を許容するようにしてもよい。
【００３５】
前記選曲登録部は、披露宴シーン毎に放送すべき楽曲のおまかせ選択操作を更に受け付けて、前記挙式ユーザが選択操作した楽曲及び、おまかせ選択操作に応じて、前記挙式ユーザの代わりに前記推奨曲リストの上位の楽曲を自動的に選択した楽曲を登録するようにしてもよい。
【００３６】
本発明によるコンピュータ用プログラムは、前記方法を、ネットワーク上のサーバ装置に実行させるように構成される。
【００３７】
本発明によるウェブサーバ装置は、前記コンピュータ用プログラムをインストールしている。
【００３８】
本発明による記憶メディアは、前記コンピュータ用プログラムをコンピュータに読み取り可能な情報として格納している。
【００３９】
本発明によるメディア制作端末は、前記選曲リスト、あるいは前記楽曲パッケージに含まれた楽曲の演奏データファイルをダウンロードして、それらの演奏データファイルを収録した楽曲メディアを制作する。
【００４０】
本発明による楽曲放送端末は、前記選曲リスト、あるいは前記楽曲パッケージに含まれた楽曲の演奏データファイルをダウンロードして蓄積し、操作に応じて、それらの演奏データファイルを放送させる。
【００４１】
前記楽曲放送端末は、前記演奏データファイルの放送の際には、楽曲のフェードイン、フェードアウトがワンタッチで実施できるようにしてもよい。
【００４２】
また前記楽曲放送端末は、前記演奏データファイルの放送での楽曲と楽曲との繋ぎ方法が、所定の操作によって予め設定できるようにしてもよい。
【００４３】
以下に詳細に説明する望ましい実施例は、本発明の一例を示すものに過ぎず、本発明の種々の拡張、変更、均等は、本発明の精神を逸脱しない限り、本発明の権利範囲に包含されることは言うまでもない。
【発明の効果】
【００４４】
本発明によれば、披露宴のサービスを提供するサービス業者、挙式ユーザ、挙式ユーザが選曲した楽曲を収録したメディアを製作するメディア業者がそれぞれの通信端末からサーバ装置を操作することによって、挙式ユーザのための選曲作業を進行させることができる。特に、挙式ユーザにとれは、たとえ深夜であっても自宅の通信端末からサーバ装置に自由にアクセスして、披露宴シーンに適した楽曲を吟味して選択できる。一方サービス業者は、挙式ユーザによる楽曲選択が日数を要した場合でも、進捗確認画面を閲覧して必要なフォロー等を行うことが可能であり、余裕をもって披露宴の準備ができるので、相互に有益である。
【００４５】
また本発明によれば、推奨曲リストに含まれる複数の楽曲は、披露宴シーン毎の推奨度合を示す基本ポイントが予め設定されており、挙式ユーザが披露宴シーンを選択すれば、それに応じて表示される推奨曲リストとして、複数の楽曲がその基本ポイントに基づいた優先順位で表示される。よって挙式ユーザはリスト上位から順に楽曲をチェックする等して、披露宴シーンに最適な楽曲を容易かつ効率的に選択できる。
【図面の簡単な説明】
【００４６】
【図１】本発明による披露宴用放送楽曲の選曲支援システムの一例の基本構成図である。
【図２】本発明による披露宴用放送楽曲の選曲支援方法の一例を示すフロー図である。
【図３】楽曲の登録画面の一例である。
【図４】披露宴情報の登録画面の一例である。
【図５】披露宴進行の登録画面の一例である。
【図６】挙式ユーザ用のメニュー画面の例である。
【図７】音楽検索画面の一例である。
【図８】お気に入り画面の一例である。
【図９】選曲確認画面の一例である。
【図１０】進捗確認画面の一例である。
【図１１】楽曲放送端末の構成の一例を示すブロック図である。
【図１２】ダウンロード画面の一例である。
【図１３】ＢＧＭ設定画面の例である。
【図１４】ＢＧＭ選択画面の一例である。
【図１５】確認画面の一例である。
【図１６】放送画面の一例である。
【発明を実施するための形態】
【００４７】
以下、本発明の実施形態を、披露宴用放送楽曲の選曲支援システムについて説明する。一般に披露宴は、迎賓、新郎新婦入場等の各種シーン演出（以下、単にシーンと呼ぶ）の進行順序が予め定められている。本発明は、各シーンのＢＧＭとして放送する楽曲をユーザが自由に選択できるようにするものである。また本発明は、披露宴だけでなく、その他の一般宴会、イベントの各シーンでのＢＧＭとして放送する楽曲を選択するためにも利用できる。
【００４８】
すなわちここに云う披露宴の概念は、文字通りの結婚披露宴のみに限定されず、結婚式、葬儀、告別式、パーティ、一般宴会、イベント等を含むものであり、それらの代表例として「披露宴」の文言を使っているに過ぎない。そしてここに云う挙式ユーザの概念も同様であって、文字通りの結婚披露宴では、新婚カップルを意味するが、葬儀、告別式では喪主を意味し、パーティ、一般宴会、イベントでは、その主催者を意味することになる。
【００４９】
図１に披露宴用放送楽曲の選曲支援システムの一例を示す。システム１は、サーバ装置１０と、楽曲データベース装置２０と、複数の通信端末（以下、単に端末と呼ぶ）３０とからなる。これらの装置はインターネット等のネットワーク４０に接続されている。
【００５０】
ここに、端末３０は例えばノート型パーソナルコンピュータであり、挙式予定のユーザ（以下では単にユーザと呼ぶ）が操作するユーザ端末３０Ａ、結婚式施設をサービス運営するブライダル業者が操作するブライダル業者端末３０Ｂ、楽曲の演奏データファイル等を準備する制作業者が操作する制作業者端末３０Ｃ、披露宴のＢＧＭ（バックグラウンドミュージック）のための楽曲メディアを制作するメディア制作端末３０Ｄ等を想定している。
【００５１】
サーバ装置１０は、ブライダル業者あるいは制作業者（以下では両者をサービス業者と総称する）によって運営管理され、ユーザに対してアプリケーション画面（ウェブページ）を提供し、その画面上での簡単な操作によって披露宴のＢＧＭとすべき楽曲を自由に選択させるシステムの中核装置である。
【００５２】
サーバ装置１０は図示のように、基本的な構成として、インタフェース部１０ａと、楽曲登録部１０ｂと、披露宴情報登録部１０ｃと、推奨曲リスト生成部１０ｄと、選曲登録部１０ｅと、進捗管理部１０ｆと、出力部１０ｇとを備えている。
【００５３】
インタフェース部１０ａは、接続してきた端末３０にアプリケーション画面を表示させ、ユーザやサービス業者を認証する部分である。ユーザやサービス業者にはＩＤとパスワードとが予め付与されるので、サーバ装置１０では、端末３０が接続してきた際にＩＤとパスワードによるログイン認証を行うとよい。
【００５４】
楽曲登録部１０ｂは、ユーザによる楽曲選択の対象となる複数の楽曲のそれぞれについて、その属性情報の登録操作を受け付けてデータベースに登録する部分である。各楽曲は、複数の属性情報を含めた楽曲レコードを用いてデータベース化される。すなわち楽曲のレコードのそれぞれは、システム内での楽曲番号、曲名、アーティスト名、演奏時間、ジャンル、曲調、シーン毎の推奨度を示す基本ポイント、季節性及びそれ以外の項目に対する追加ポイント、及び演奏、試聴用データファイルのＵＲＬ等の属性情報がサービス業者によって予め設定される。演奏、試聴用データファイルのＵＲＬは基本的に楽曲データベース２０内のロケーションを特定するが、ＵＲＬの替わりに、サービス業者が独自に規定した楽曲の参照番号を用いてもよい。
【００５５】
披露宴情報登録部１０ｃは、サービス業者から、ユーザ氏名やシーン進行順序等を含む披露宴情報の登録操作を受け付けて、ユーザ毎（披露宴毎）のマスターレコードを生成し、データベースに登録する部分である。また披露宴情報登録部１０ｃは、その後、サービス業者から、シーン進行順序の変更操作を受け付けてもよい。このとき、シーンのそれぞれに対して既に登録済みの楽曲は、シーンの進行順序が変更されても、シーンとの関連付けが保たれるようにするとよい。
【００５６】
推奨曲リスト生成部１０ｄは、ユーザによって指定操作されたシーンに対する推奨曲リストを生成する部分である。より具体的には、選択されたシーンに対する基本ポイントの値に基づいて、データベース化されている楽曲を検索、ソートして推奨曲リストを生成する。更に望ましくは、推奨曲リスト生成部１０ｃは、選択されたシーンに対する基本ポイントの値と、季節性及びそれ以外の適合性を示す追加ポイントの値との加算結果に基づいて、楽曲を検索、ソートして推奨曲リストを生成してもよい。
【００５７】
選曲登録部１０ｅは、ユーザから、シーン毎に、推奨曲リストから放送すべき楽曲を選択する操作を受け付ける。ここでの選択情報には、シーンとの関連付けを付加して、選曲リストに登録し、ユーザのマスターレコード自身あるいは、マスターレコードに関連付けられたサブレコードに保存するとよい。またユーザから楽曲選択の確定操作がなされると、その時点で選択されている各楽曲の属性情報として、被選択ポイントを加算していくようにするとよい。被選択ポイントの値は複数のユーザによって選択、確定される毎に増加していくので、推奨曲リストを生成する際に、このポイントの値を加味して楽曲を検索、ソートすれば、人気曲が常にリストの上位に現れるようになる。
【００５８】
すなわち、推奨曲リストに含まれる複数の楽曲は、上記基本ポイントや追加ポイントに加えて、現時点までに複数のユーザによって選曲されてきた延べ回数を示す被選択ポイントがそれぞれ設定されてデータベース化されており、推奨曲リスト生成部１０ｄは、複数の楽曲を、それぞれの基本ポイントに追加ポイント及び被選択ポイントを加味した順位付けして推奨曲リストを生成する。そして選曲登録部１０ｅは、披露宴シーンに対して放送すべき楽曲が選択され、更に確定操作がされると、確定された楽曲の各々の被選択ポイントを増加させる。
【００５９】
選曲登録部１０ｅは、披露宴シーン毎に放送すべき楽曲のおまかせ選択操作を更に受け付けて、ユーザが選択操作した楽曲及び、おまかせ選択操作に応じて、ユーザの代わりに推奨曲リストの上位の楽曲を自動的に選択した楽曲を選曲リストに登録するようにしてもよい。
【００６０】
推奨曲リスト生成部１０ｄは、ユーザから、オリジナル楽曲（楽曲データベースに準備されていない持込み楽曲）の属性データのアップロードを受け付けて、オリジナル楽曲を含めた推奨曲リストを生成し、選曲登録部１０ｅでは、そのオリジナル楽曲を楽曲選択の対象にできるようにしてもよい。
【００６１】
アップロードされたオリジナル楽曲はお気に入りリストに自動的に追加されるようにしてもよい。オリジナル楽曲の属性情報には、曲名、アーティスト名、演奏時間等を含めればよい。オリジナル楽曲の演奏データファイルは、属性データと同時にアップロードさせてもよいし、そのオリジナル楽曲メディアをサービス事業者に手渡して演奏データファイルを作成させてもよい。
【００６２】
また複数の楽曲をまとめた楽曲パッケージをジャンル（あるいはテーマ）毎に予め準備しておき、推奨曲リスト生成部１０ｄは、それらの楽曲パッケージの名称を表示して、披露宴シーン毎に放送すべき楽曲の合間、又は楽曲が選択されていないシーンに放送すべき楽曲パッケージの選択操作を受け付けるようにしてもよい。なお楽曲パッケージは、各ジャンルに合致する楽曲をサービス業者が予め選曲したものである。楽曲パッケージに含ませる楽曲数は特に制限されない。そこに属する楽曲はそれぞれ独立した演奏データファイルを有してもよいが、複数の楽曲を一つの演奏データファイルとして予め結合しておいてもよい。
【００６３】
進捗管理部１０ｆは、サービス業者に対して楽曲選択やメディア制作の進捗確認画面を提供するとともに、期限管理するため、所定のタイミング、例えば選曲期限までの残日数が規定値になった時点、あるいはユーザが選曲確定操作をした時点等で、ユーザあるいはサービス業者に対してお知らせメールや警告メールを自動的に送信する。進捗管理部１０ｆは、更に、ユーザに対しても進捗確認画面を提供するようにしてもよい。
【００６４】
出力部１０ｆは、マスターレコード等を参照して、ユーザによって選択された楽曲の全てを放送順に列挙した選曲リストと、そのリストに含まれた楽曲の演奏データファイルを楽曲データベース装置２０から取得するためのダウンロードリンクとを準備する。そして、インタフェース部１０ａが、接続してきたメディア制作端末３０Ｄを認証したときには、該端末がそれらの選曲リストや演奏データファイルをダウンロードすることを許容する。ダウンロードリンクは、それが要求された時点で、出力部１０ｆから、必要な楽曲の参照番号を楽曲データベース装置２０に通知し、楽曲データベース装置２０はその楽曲番号で特定される楽曲の演奏データファイルを一時的に複製して、その複製されたファイルを指定するダウンロードリンクを出力部１０ｆに返信する構成としてもよい。その後所定時間が経過したときに、その複製されたファイルを自動的に削除すれば、不正なダウンロードが防止できる。
【００６５】
サーバ装置１０は、披露宴シーン毎に放送すべき楽曲の選択の完了操作がなされると、選択された全楽曲の使用料をユーザに請求するための課金情報を生成する会計処理部１０ｇを更に備えてもよい。このときユーザはその課金された使用料をサービス業者に直接支払ってもよいし、式場を経由して支払ってもよい。
【００６６】
会計処理部１０ｇは、上記課金の一部を、楽曲の著作権者あるいは著作隣接権者に支払うための出金情報を更に生成してもよい。
【００６７】
楽曲データベース装置２０は、披露宴のＢＧＭとして利用可能な複数の楽曲、すなわちユーザが選択可能な全楽曲の演奏、試聴用データファイルを蓄積しており、サービス業者によって管理されている。演奏、試聴用データファイルの形式は例えばＭＰ３形式、ＷＭＡ形式等が想定されるが特に限定されない。ＭＰ３形式を採用する場合、例えば演奏データファイルは２５６ｋｂｐｓ、試聴用データファイルは６４ｋｂｐｓ程度のビットレートにしてもよい。なお楽曲データベース装置２０は、サーバ装置１０とは分離した装置としてネットワーク４０に接続してもよい。
【００６８】
具体的には、楽曲データベース装置２０は、多数の楽曲の演奏データファイルをダウンロード販売している音楽配信業者が管理運営するようにしてもよい。具体的には、音楽配信業者は、サーバ装置１０等とネットワークを介して通信可能とした楽曲データベース装置２０に、楽曲の演奏データファイルや試聴用データファイルをアップロードし、更に、その楽曲の属性情報をデータベースに登録する。楽曲の属性情報は、システム内での楽曲番号、曲名、アーティスト名、演奏時間、ジャンル、曲調、シーン毎の推奨度を示す基本ポイント、追加ポイント、演奏、試聴用データファイルのＵＲＬ等があることは前記の通りであるが、更に楽曲毎の課金単価を含めてもよい。楽曲の属性情報に、楽曲毎の課金単価を含めておけば、会計処理部１０ｇは、その課金単価に基づいて、ユーザが選択した全楽曲の使用料を細かくかつ正確に算出できる。
【００６９】
またサーバ装置１０に接続してきた端末３０に表示させるアプリケーション画面における楽曲名、レコードジャケット写真、イメージ画像等のイラスト等の表示態様を、音楽配信業者自身の音楽配信サイトに合わせておけば、その業者が楽曲の演奏データファイル等をアップロードする楽曲データベース装置２０との連携が容易になる。
【００７０】
メディア制作端末３０Ｄは、サーバ装置１０あるいは楽曲データベース装置２０から、選曲リストや演奏データファイルをダウンロードして、その演奏データファイルを収録した放送用の楽曲メディアを制作する。メディアとしては、ＣＤ−Ｒ、ＤＶＤ−Ｒ、各種メモリカード、ＵＳＢメモリ等が考えられる。楽曲メディアを制作する際には、特にメディアの種別がメモリカードやＵＳＢメモリである場合には、宴会場に設置されている式場放送設備５０が、楽曲メディアに収録されている楽曲を、選曲リストの順序でそのまま放送できるように注意すべきである。式場放送設備５０の仕様によって、演奏データファイルのファイル名に基づいて放送順序が決まる場合もあれば、演奏データファイルに含まれるタグ内のトラック番号に基づいて放送順序が決まる場合もある。よってメディア制作端末３０Ｄは、その両者に対応できることが望ましい。
【００７１】
なおメディア制作端末３０Ｄに替えて、あるいは追加して、サーバ装置１０あるいは楽曲データベース装置２０から選曲リストに含まれた楽曲の演奏データファイルを宴会場でストリーミング再生して放送する楽曲放送端末３０Ｅを設けてもよい。この場合、特に楽曲メディアを制作する必要がないので手間を省くことができる。
【００７２】
あるいは楽曲放送端末３０Ｅは、選曲リスト、あるいは楽曲パッケージに含まれた楽曲の演奏データファイルをダウンロードして蓄積し、操作に応じて、それらの演奏データファイルを放送させるようにしてもよい。
【００７３】
楽曲放送端末３０Ｅは、演奏データファイルの放送の際には、楽曲のフェードイン、フェードアウトがワンタッチで実施できるとよい。また、演奏データファイルの放送における楽曲と楽曲との繋ぎ方法が、所定の操作によって予め設定できるとよい。
【００７４】
なおサーバ装置１０はウェブサーバ装置によって構成してもよい。すなわち一般的なウェブサーバ装置は、接続してきた端末３０に対して、Ａｐａｃｈｅ（登録商標）等のウェブサーバプログラム（ＨＴＴＰデーモン）が応答して、ＨＴＭＬファイル、ＸＭＬファイル、スクリプトファイル、及び画像ファイル等をダウンロードさせ、端末３０のブラウザがこれらのファイルから表示画面を組み立てる。ウェブサーバプログラムは、ＰＨＰ（登録商標）、Ｒｕｂｙ（登録商標）、Ｐｅｒｌ（登録商標）、Ｊａｖａ（登録商標）等で記述されたサーバサイドプログラムを稼働させ、端末３０から操作情報を受け取ってデータベース処理や、ファイル生成、編集処理等を行うこともできる。したがって、ウェブサーバプログラムと、アプリケーション画面を構成するためのＨＴＭＬファイル、ＸＭＬファイル、及び画像ファイルとによってインタフェース部１０ａを構成し、更に、サーバサイドプログラム及びデータベースプログラム等によって、楽曲登録部１０ｂ、披露宴情報登録部１０ｃ、推奨曲リスト生成部１０ｄ、選曲登録部１０ｅ、進捗管理部１０ｆ、出力部１０ｇ等を構成することが可能である。
【００７５】
また、このアプリケーション画面を構成するためのＨＴＭＬファイル、ＸＭＬファイル、画像ファイルと、楽曲登録部１０ｂ、披露宴情報登録部１０ｃ、推奨曲リスト生成部１０ｄ、選曲登録部１０ｅ、進捗管理部１０ｆ、出力部１０ｇ等を構成するサーバサイドプログラムを、一連のコンピュータ用プログラムとしてＣＤ等の記憶メディアに格納しておけば、その記憶メディアを用いて、このプログラムをウェブサーバ装置に簡単にインストールすることができる。
【００７６】
次いで本発明の実施形態を、披露宴用放送楽曲の選曲支援方法について説明する。
【００７７】
この披露宴用放送楽曲の選曲支援方法は、端末からネットワーク上のサーバ装置を操作して、披露宴で放送される楽曲を選曲できるようにした選曲支援方法であって、端末に対してアプリケーション画面を表示させるステップと、アプリケーション画面を通じて、サービス業者を認証した後、ユーザ毎に披露宴シーンの進行順序を登録する操作を受け付けるステップと、アプリケーション画面を通じて、ユーザを認証した後、ユーザによる披露宴シーンの選択を受け付けて、推奨曲リストを生成表示し、披露宴シーン毎に放送すべき楽曲の選択操作を受け付けるステップと、ユーザによって選択された楽曲を放送順に列挙した選曲リストと、該選曲リストに含まれた楽曲の演奏データファイルとのうち少なくとも一方をダウンロード可能に準備するステップと、これらのステップのいずれかが実行された後に、ユーザの楽曲選択の進捗確認画面を表示させるステップとを備える。ここに端末は、基本的には、披露宴のサービス業者、ユーザ、メディア制作者等によって操作される端末であると想定され、これらの者には予めＩＤとパスワードとが付与されるので、サーバ装置は、各ステップの実行条件として、接続してきた端末に対してＩＤとパスワードとによるログイン認証を行うとよい。各ステップでの処理は、ＩＤ毎に予め許可又は禁止しておくとよい。
【００７８】
披露宴シーン毎に放送すべき楽曲の選択操作を受け付けるステップでは、楽曲の試聴を許容するとよい。
【００７９】
推奨曲リストでは、複数の楽曲を、それぞれの楽曲に対して予め設定された宴会シーン毎の推奨度合を示す基本ポイントに基づいた順位で表示してもよい。
【００８０】
推奨曲リストでは、複数の楽曲を、それぞれの楽曲に対して、前記基本ポイントに、季節性及びそれ以外の適合性を示す追加ポイントを加味した順位で表示してもよい。
【００８１】
選曲支援方法は、披露宴シーンに対して放送すべき楽曲の確定操作がされると、該楽曲が現時点までに複数のユーザによって選曲されてきた延べ回数を示す被選択ポイントを増加させるステップを更に備え、推奨曲リストでは、複数の楽曲を、それぞれの楽曲に対して、前記基本ポイントに前記被選択ポイントを加味した順位で表示してもよい。
【００８２】
選曲支援方法は、複数の楽曲をまとめた楽曲パッケージがジャンル毎に準備されており、楽曲パッケージの名称リストを表示して、披露宴シーン毎に放送すべき楽曲の合間、又は楽曲が選択されていない披露宴シーンに放送すべき楽曲パッケージの選択操作を受け付けるステップを更に備えてもよい。
【００８３】
選曲支援方法は、オリジナル楽曲（ユーザの持込み楽曲）を受け入れるステップを更に備え、上記の推奨曲リストを生成表示し、披露宴シーン毎に放送すべき楽曲の選択操作を受け付けるステップでは、そのオリジナル楽曲を含めた推奨曲リストを生成するようにしてもよい。
【００８４】
選曲支援方法は、披露宴シーン毎に放送すべき楽曲の選択の完了操作がなされると、選択された全楽曲の使用料を請求するための課金情報を生成するステップを更に備えてもよい。
【００８５】
選曲支援方法は、選曲リスト、あるいは楽曲パッケージに含まれた楽曲の演奏データファイルのダウンロードを許容するステップを更に備えてもよい。またアプリケーション画面を通じて、サービス業者を認証した後、該業者に対して、シーンの進行順序を変更する操作を受け付けるステップを更に備えてもよい。このとき、シーンのそれぞれに対して既に登録済みの楽曲は、シーンの進行順序が変更されても、シーンとの関連付けが保たれるようにするとよい。
【００８６】
選曲支援方法は、推奨曲リストを生成表示し、披露宴シーン毎に放送すべき楽曲のおまかせ選択操作を受け付けると、ユーザの代わりに該前記推奨曲リストの上位の楽曲を自動的に選択するステップを更に備えてもよい。
【００８７】
図２に、この方法による処理手順の一例を時系列的に示す。図では端末器３０側での操作と、サーバ装置１０からの情報出力を示しており、ユーザやサービス業者に対する認証処理を簡単のため省略している。
【００８８】
時刻Ｔ１では、ブライダル業者端末３０Ｂ、あるいは制作業者端末３０Ｃでユーザの登録操作がなされ、これによって、サーバ装置１０は試聴モードを開始している。サーバ装置１０は、ユーザ端末３０Ａ、ブライダル業者端末３０Ｂ、制作業者端末３０Ｃに対して登録通知を送信する。この送信は電子メールによって行ってもよい。試聴モードでは、サーバ装置１０がユーザの操作に応じて推奨曲リストをユーザ端末３０Ａに送信し、ユーザが楽曲を選択すると、対応した楽曲の試聴用データファイルをユーザ端末３０Ａに送信する。ユーザはその試聴用データファイルをストリーム再生することによって試聴でき、所望の楽曲をお気に入りリストに追加できる。
【００８９】
時刻Ｔ２では、ブライダル業者端末３０Ｂで披露宴進行の登録操作がなされ、これによってサーバ装置１０は登録モードを開始している。登録モードでは、試聴モードと同様にユーザに楽曲を試聴させたり、所望の楽曲をお気に入りリストに追加させたりするとともに、ユーザ端末３０Ａで推奨曲リストから放送すべき楽曲を選択する選択操作がなされる。ここで選択された楽曲は、選曲リストに登録される。より望ましい構成では、ユーザがオリジナル楽曲の属性情報や演奏データファイルをアップロードして、そのオリジナル楽曲をお気に入りリスト、あるいは選曲リストに追加できる。
【００９０】
時刻Ｔ３では、ユーザ端末３０Ａで楽曲選択の確定操作がなされ、これによってサーバ装置１０は確定モードを開始している。サーバ装置１０は、ブライダル業者端末３０Ｂに確定通知を送信する。そしてブライダル業者端末３０Ｂで、ユーザからのオリジナル楽曲メディアの受領操作及び確認操作がなされると、サーバ装置１０は制作業者端末３０Ｃに、確定・確認通知を送信する。
【００９１】
時刻Ｔ４では、サーバ装置１０は、メディア制作端末３０Ｄに、ユーザによって選択された楽曲の全てを放送順に列挙した選曲リストと、そのリストに含まれた楽曲の演奏データファイルのダウンロードリンクとを送信している。メディア制作端末３０Ｄは、そのダウンロードリンクに基づいて楽曲の演奏データファイルを楽曲データベース装置２０からダウンロードして、それらの演奏データファイルを収録した楽曲メディアを制作する。
【００９２】
次いで、アプリケーション画面の例として、楽曲の登録画面と、披露宴情報の登録画面と、披露宴進行の登録画面を図に従って説明する。これらの登録画面は、サービス業者に対するメニュー画面（図示なし）の操作によって呼び出されるものである。なお楽曲の登録は、楽曲の事前準備であって、基本的にはサーバ装置１０の運用開始前に行われ、その後は楽曲を追加する毎に行われる。
【００９３】
図３に、楽曲の登録画面の一例を示す。この画面Ｗ１は、演奏及び試聴用データファイルのＵＲＬ入力欄Ａ１、曲名入力欄Ａ２、アーティスト名入力欄Ａ３、演奏時間入力欄Ａ４、ジャンル入力欄Ａ５、曲調入力欄Ａ６、基本ポイント入力欄Ａ７、オプション入力欄Ａ８等の楽曲属性の入力欄と、登録ボタンＡ９を備えている。
【００９４】
ＵＲＬ入力欄Ａ１、曲名入力欄Ａ２、アーティスト名入力欄Ａ３は、それぞれ対応した文字列情報を入力するようになっている。演奏時間入力欄Ａ４は時間情報を入力するようになっている。
【００９５】
ジャンル入力欄Ａ５は、予め用意されたロック、クラシック、ジャズ等のジャンルから楽曲の属するジャンルを選択するようになっている。
【００９６】
曲調入力欄Ａ６は、アップテンポ、ミディアムテンポ、スローテンポ、あるいは４ビート、８ビート等からいずれかを選択するようになっている。
【００９７】
基本ポイント入力欄Ａ７は、迎賓、入場、プロフィール紹介等、予め用意されたシーン毎に推奨度合を示す基本ポイントとして０〜９のいずれかを選択するようになっている。ポイントが大きいほど推奨度合が高いことを意味する。
【００９８】
オプション入力欄Ａ８は、新譜、定番等の項目や、春、夏、秋、冬、クリスマス等の季節性の項目等、予め用意された項目に対してその有無を選択する（チェックする）ようになっている。項目有りの場合は、その項目について所定の追加ポイント（たとえば５）が自動的に付加される。これらの項目に関する選択は随時変更できる。
【００９９】
登録ボタンＡ９は、入力された属性データを登録するための操作ボタンである。
【０１００】
図４に、披露宴情報の登録画面の一例を示す。この画面Ｗ２は、施設名入力欄Ａ１０、会場名入力欄Ａ１１、挙式日時入力欄Ａ１２、披露宴日時入力欄Ａ１３、新郎氏名入力欄Ａ１４、新郎メールアドレス入力欄Ａ１５、新婦氏名入力欄Ａ１６、新婦メールアドレス入力欄Ａ１７、ユーザＩＤ入力欄Ａ１８、ログインパスワード入力欄Ａ１９、施設担当者氏名入力欄Ａ２０、制作担当者氏名入力欄Ａ２１、進捗変更欄Ａ２２、確定日時表示欄Ａ２３、確認日時表示欄Ａ２４、登録ボタンＡ２５を備えている。各入力欄は、できる限りプルダウン操作可能にするとよい。
【０１０１】
施設名入力欄Ａ１０、会場名入力欄Ａ１１は、予め用意した候補の施設名、会場名から該当するものを選択するようになっている。
【０１０２】
挙式日時入力欄Ａ１２、披露宴日時入力欄Ａ１３は、それぞれに日時情報を入力するようになっている。
【０１０３】
新郎氏名入力欄Ａ１４、新郎メールアドレス入力欄Ａ１５、新婦氏名入力欄Ａ１６、新婦メールアドレス入力欄Ａ１７は、それぞれに文字列情報を入力するようになっている。
【０１０４】
ユーザＩＤ入力欄Ａ１８は、ユーザＩＤとして新郎メールアドレス又は新婦メールアドレスを選択するようになっているが、任意の文字列をユーザＩＤとしてもよい。
【０１０５】
ログインパスワード入力欄Ａ１９、施設担当者氏名入力欄Ａ２０、制作担当者氏名入力欄Ａ２１は、それぞれに文字列情報を入力するようになっている。
【０１０６】
進捗変更欄Ａ２２は、進捗状況すなわち、現在のモードや状態（試聴モード、選択モード、確定モード等）を他のモードに強制変更するためのラジオスイッチが設けられている。
【０１０７】
確定日時表示Ａ２３欄、確認日時表示欄Ａ２４は、それぞれに選曲の確定操作、確認操作がなされた日時が自動的に表示される。
【０１０８】
上記各入力欄に適切な情報を入力して登録ボタンＡ２５を操作すれば、ユーザ登録として、そのユーザのマスターレコードが作成、更新される。
【０１０９】
図５に、披露宴進行の登録画面の一例を示す。この画面Ｗ３は、その最初の表示時には、進行番号表示欄Ａ２６、シーン種別表示欄Ａ２７、標準時間表示欄Ａ２８、必要曲数表示欄Ａ２９、登録曲数表示欄Ａ３０、進行変更スイッチＡ３１、シーン削除スイッチＡ３２を並べた複数のスロットを、デフォルト進行順に縦配列させた状態で表示される。スロットの一番下は、シーン入力欄Ａ３３と、追加スイッチＡ３４からなるシーン追加用スロットになっている。その下には、登録ボタンＡ３５が配置されている。
【０１１０】
進行番号表示欄Ａ２６、シーン種別表示欄Ａ２７は、初期状態ではデフォルト進行順にそれぞれ対応する情報が表示される。
【０１１１】
標準時間表示欄Ａ２８、必要曲数表示欄Ａ２９は、シーンの種別毎に予め想定された値が自動表示されるが、その値を変更することもできる。
【０１１２】
登録曲数表示欄Ａ３０は、ユーザによって既に登録された曲数が自動的に表示される。
【０１１３】
進行変更スイッチＡ３１は、「上に」スイッチと、「下に」スイッチとを備えている。前者を操作すれば、当該スロットと１つ上のスロットとが入れ替わる。一方後者を操作すれば、当該スロットと１つ下のスロットとが入れ替わる。これらの操作によってシーンの進行順序を自由に変更できる。またシーン追加用スロットでは、シーン入力欄Ａ３３で所望のシーンを選択してから、追加スイッチＡ３４を操作することによって、シーン進行の最後にそのシーンを追加することができる。追加したシーンは、進行変更スイッチＡ３１で順序を変更できる。シーンに対して既に登録済みの楽曲は、そのシーンに関連付けられており、シーンの進行順序が変更されても、その関連付けは保たれる。
【０１１４】
登録ボタンＡ３５を操作すれば、ここで設定された披露宴進行が登録保存される。
【０１１５】
次いでアプリケーション画面の他例として、メニュー画面、音楽検索画面、お気に入り画面、選曲確認画面を図に従って説明する。これらの画面はユーザ向けのものである。
【０１１６】
図６に、メニュー画面の例を示す。この画面Ｗ４は、新郎・新婦氏名表示欄Ａ３６、施設・会場名表示欄Ａ３７、ニュース表示欄Ａ３８、残日数表示欄Ａ３９と、音楽検索画面、お気に入り画面、選曲確認への移動ボタンＡ４０〜Ａ４２とを備えている。各表示欄は、上記マスターレコードの内容に基づいて自動表示される。移動ボタンＡ４０〜Ａ４２を操作すると、対応した画面が呼び出される。
【０１１７】
図７に音楽検索画面の一例を示す。この画面Ｗ５は、シーン入力欄Ａ４３、曲名・アーティスト名入力欄Ａ４４、ジャンル入力欄Ａ４５、曲調入力欄Ａ４６、検索ボタンＡ４７を備える。これらの入力欄に入力されるシーン、曲名、アーティスト名、ジャンル、曲調等の属性は、楽曲登録画面Ｗ１によって設定された属性に対応している。
【０１１８】
シーン入力欄Ａ４３は、予め用意されたシーンの種別から１つを選択するようになっており、ここで選択されたシーンの種別に好適な楽曲が検索対象になる。
【０１１９】
曲名・アーティスト名入力欄Ａ４４は、自由文字列を入力するようになっており、曲名あるいはアーティスト名の中にその文字列が含まれた楽曲が検索対象になる。
【０１２０】
ジャンル入力欄Ａ４５は、予め用意された複数のジャンルから１つを選択するようになっており、選択されたジャンルの楽曲が検索対象になる。
【０１２１】
曲調入力欄Ａ４６は、予め用意された複数の曲調から１つを選択するようになっており、選択された曲調の楽曲が検索対象になる。
【０１２２】
シーン入力欄Ａ４３、曲名・アーティスト名入力欄Ａ４４、ジャンル入力欄Ａ４５、曲調入力欄Ａ４６等によって検索条件を設定してから、検索ボタンＡ４７を操作すると、データベース化された複数の楽曲がその条件によって検索、ソートされて、推奨曲リストＷ６が生成される。
【０１２３】
シーン入力欄Ａ４３によって検索条件が設定されている場合は、選択されたシーンの種別についての基本ポイントが１以上の楽曲が検索され、検索された楽曲を基本ポイントが高い順にソートすることによって推奨曲リストＷ６が得られる。
【０１２４】
楽曲のソートでは、選択されたシーンの種別についての基本ポイントと、季節性及びその他の属性情報を示す追加ポイントとを組み合わせてソートしてもよい。組合せルールの例としては、披露宴がクリスマスシーズンに行われる場合、シーン入力欄Ａ４３で「入場」が選択されたときのみ、そのシーンの種別についての基本ポイントに、クリスマス項目についての追加ポイントを加算し、その加算結果に基づいて楽曲をソートする一方、「入場」以外が選択された場合は、追加ポイントは加算されない等である。このようなルールは、サービス業者が自由に設定すればよく、シーズン等でルールを適宜変更してもよい。またソートにおいて同じポイントの楽曲が複数ある場合は、楽曲毎に全シーンについてのポイントを加算して、その加算値が多い順に並べてもよい。なお検索条件が設定さないまま検索ボタンが操作されると、推奨曲リストＷ６は全ての楽曲を含んだものになる。
【０１２５】
推奨曲リストＷ６は音楽検索画面の下方に表示される。推奨曲リストＷ６の構成は特に制限されないが、この例では、楽曲毎に、曲番号表示欄Ａ４８、曲名表示欄Ａ４９、アーティスト名表示欄Ａ５０、演奏時間表示欄Ａ５１、試聴スイッチＡ５２、お気に入り追加（削除）スイッチＡ５３、シーン登録スイッチＡ５４を並べたスロットを割り当て、それらのスロットを縦配列させたものになっている。
【０１２６】
曲番号表示欄Ａ４８、曲名表示欄Ａ４９、アーティスト名表示欄Ａ５０、演奏時間表示欄Ａ５１は、楽曲毎に楽曲登録画面Ｗ１によって設定された属性の中から対応したものが読み出されて自動表示される。
【０１２７】
試聴スイッチＡ５２は操作すると、そのスロットの楽曲の試聴用データファイルが直ちにダウンロードされてユーザ端末３０Ａからストリーミング再生される。お気に入り追加（削除）スイッチＡ５３は操作すると、そのスロットの楽曲がお気に入りリストに追加（リストから削除）される。シーン登録スイッチＡ５４は操作すると、そのスロットの楽曲が、選択したシーンのＢＧＭの一つとして放送順序を含めて、選曲リストに登録される。
【０１２８】
このように、推奨曲リストＷ６に含まれる複数の楽曲は、披露宴シーン毎の推奨度合を示す基本ポイントが予め設定されており、推奨曲リストは、その基本ポイントに基づいて楽曲を検索、ソートして生成されるので、リスト上位の楽曲ほどシーンに対する適合度が高いものになる。よってこのリスト上位から順に楽曲をチェックする等によって、最適な楽曲を効率的に選択できるようになる。
【０１２９】
図８に、お気に入り画面の一例を示す。この画面Ｗ７は、ユーザによってお気に入りリストに追加された楽曲の一覧表示である。このリストは、楽曲毎に、削除スイッチＡ５５、曲番号表示欄Ａ５６、曲名表示欄Ａ５７、アーティスト名表示欄Ａ５８、演奏時間表示欄Ａ５９、試聴スイッチＡ６０、シーン登録スイッチＡ６１からなるスロットを割り当てて、それらのスロットを例えば、楽曲がお気に入りリストに追加された順序で縦配列させた状態で表示される。
【０１３０】
削除スイッチＡ５５は、そのスロットの楽曲をお気に入りリストから削除するスイッチである。このスイッチが操作されると、その楽曲がお気に入りリストから削除されるので、このスロット自体も表示されなくなる。
【０１３１】
曲番号表示欄Ａ５６、曲名表示欄Ａ５７、アーティスト名表示欄Ａ５８、演奏時間表示欄Ａ５９は、楽曲毎に楽曲登録画面Ｗ１によって設定された属性の中から対応したものが読み出されて自動表示される。
【０１３２】
試聴スイッチＡ６０は操作すると、そのスロットの楽曲の試聴用データファイルが直ちにダウンロードされてユーザ端末３０Ａからストリーミング再生される。シーン登録スイッチＡ６１は操作すると、そのスロットの楽曲が、選択したシーンのＢＧＭの一つとして放送順序を含めて、選曲リストに登録される。
【０１３３】
図９に選曲確認画面の一例を示す。この画面Ｗ８は、シーンのそれぞれに対してＢＧＭとして選曲リストに登録された楽曲の一覧表示である。このリストは、左側に披露宴の進行表Ａ６２が配置され、その右側に、シーン毎に選択された楽曲のスロットが縦配列されている。各スロットは、曲順表示欄Ａ６３、曲番号表示欄Ａ６４、曲名表示欄Ａ６５、アーティスト名表示欄Ａ６６、演奏時間表示欄Ａ６７、試聴スイッチＡ６８、削除スイッチＡ６９で構成されている。リストの下には、選曲確定ボタンＡ７０が配置されている。
【０１３４】
進行表Ａ６２の各欄には、シーンの種別と標準時間とが表示される。曲順表示欄Ａ６３は、シーン内での放送順序が表示される。曲番号表示欄Ａ６４、曲名表示欄Ａ６５、アーティスト名表示欄Ａ６６、演奏時間表示欄Ａ６７は、楽曲毎に楽曲登録画面Ｗ１によって設定された属性の中から対応したものが読み出されて自動表示される。
【０１３５】
試聴スイッチＡ６８は操作すると、そのスロットの楽曲の試聴用データファイル又は演奏データファイルが直ちにダウンロードされてユーザ端末３０Ａからストリーミング再生される。削除スイッチＡ６９は操作すると、その楽曲のシーンに対する選択情報が選曲リストから削除されるので、そのスロット自体も表示されなくなる。
【０１３６】
選曲確定ボタンＡ７０は、シーンに対する楽曲の選択操作全体を確定するためのボタンである。
【０１３７】
図１０に進捗確認画面の一例を示す。この画面Ｗ９は、サービス業者に対するメニュー画面の操作によって呼び出されるもので、左側にステータス表示欄Ａ７１が配置され、その右側にステップ図が配置されている。ステップ図は、左から右に工程が進捗していくように、進行登録確認欄Ａ７２、選曲状況確認欄Ａ７３、担当者確認欄Ａ７４、オリジナル楽曲メディア受領欄Ａ７５、制作完了確認欄Ａ７６によって構成されている。なおステップ図は、現在の工程が強調表示されるようになっている。
【０１３８】
ステータス表示欄は、サーバ装置１０の現在のモード、つまり試聴モード、選択モード、確定モード等が自動表示される。
【０１３９】
進行登録確認欄Ａ７２は、披露宴の進行が登録された日時情報と、担当者用の確認スイッチを含んでいる。披露宴の進行が未登録のときは、日時情報は表示されない。確認スイッチは操作すると上記披露宴の進行登録画面Ｗ３が呼び出されて、進行の編集が可能になる。
【０１４０】
選曲状況確認欄Ａ７３は、現在の選曲状況の目安がパーセントで自動表示される。確認スイッチを操作すれば、上記披露宴の進行登録画面Ｗ３が呼び出されて、具体的な登録曲数が確認できる。
【０１４１】
担当者確認欄Ａ７４、オリジナル楽曲メディアの受領欄Ａ７５、制作完了確認欄Ａ７６は、いずれも確認スイッチが設けられており、担当者がそのスイッチを操作したときの日時情報が記録されるようになっている。
【０１４２】
このような進捗確認画面を用意しておけば、ユーザによる楽曲選択に日数を要しても、サービス業者は適宜、その進捗確認画面を閲覧して必要なフォロー等を行うことができ、余裕をもって披露宴の準備ができる。また進捗確認画面は、サービス業者だけでなく、ユーザも閲覧できるようにしてもよい。
【０１４３】
次いで上記選曲支援システムを構成する楽曲放送端末について説明する。図１１は楽曲放送端末の構成の一例を示すブロック図であり、図１２〜図１６はいずれも楽曲放送端末に表示されるアプリケーション画面（操作画面）の例である。
【０１４４】
楽曲放送端末３０Ｅはサービス業者の操作する端末であって、図１１に示すように、サーバ装置１０と通信する通信部３０ａと、サーバ装置１０が提供するアプリケーション画面を表示するためのブラウザ部と３０ｂ、サーバ装置１０からダウンロードした選曲リストや演奏データファイルを記憶する記憶部３０ｃと、演奏データファイルを再生出力する楽曲再生部３０ｄとを備えている。ブラウザ部３０ｂは、表示部３０ｅに表示させたアプリケーション画面（ホームページ）に対する操作を操作部３０ｆから受け付けることで、対話的な操作を可能にしている。楽曲再生部３０ｄの出力は式場音響設備５０に入力され、その設備のスピーカ（不図示）より放送される。
【０１４５】
図１２は、楽曲放送端末３０Ｅにおけるダウンロード画面の一例である。このダウンロード画面Ｗ１０には、上部に日付入力欄Ａ７７と、検索スイッチＡ７８とが配置されている。その下は検索結果表示部Ａ７９になっており、検索スイッチＡ７８が操作されると、日付入力欄Ａ７７で指定された日付の挙式予定がサーバ装置１０によって検索され、その検索結果が検索結果表示部Ａ７９に表示される。検索結果表示欄Ａ７９には、検索されたユーザの数だけ、ユーザの氏名欄と、ダウンロードボタンとからなるスロットが配列表示される。いすれかのダウンロードボタンを操作すれば、そのユーザに関連した選曲リスト、演奏データファイル、楽曲パッケージ等がサーバ装置１０からダウンロードされ記憶部３０ｃに蓄積される。
【０１４６】
図１３は、ＢＧＭ設定画面の一例である。このＢＧＭ設定画面Ｗ１１では、上記によってダウンロードされた選曲リストに記載の順序で複数の楽曲がリスト表示される。リストは、シーン名、シーン内での曲順、曲名、アーティスト名等からなるスロットと、ＢＧＭなしスイッチと、ＢＧＭ挿入スイッチとを備えたＢＧＭ設定スロットＡ８０が交互に配列されている。
【０１４７】
いずれかのＢＧＭ設定スロットＡ８０のＢＧＭなしスイッチを選択すれば、その前後の楽曲間にＢＧＭが設定されず、ＢＧＭ挿入スイッチを選択すれば、その楽曲間にＢＧＭが設定される。ここで設定されるＢＧＭは、サーバ装置１０からダウンロードされてきた楽曲パッケージ、つまりユーザの選択による楽曲パッケージであっても、次に説明するＢＧＭ選択画面で選択される楽曲パッケージ、つまりサービス業者の選択による楽曲パッケージであってもよい。ＢＧＭはシーンの予定時間に対して楽曲が不足している場合等に、時間調節として利用できる。
【０１４８】
図１４は、ＢＧＭ選択画面の一例である。このＢＧＭ選択画面Ｗ１２は、楽曲と楽曲との合間、又は楽曲が選択されていない披露宴シーンに放送すべき楽曲パッケージの選択操作を受け付けるための画面である。ここにはＢＧＭとして選択可能な楽曲パッケージの名称（ここではジャンル名）が付された複数の選択ボタンＡ８１が配列されており、所望の楽曲パッケージが選択できる。ここで選択対象とされる楽曲パッケージは、それに属する楽曲の演奏データファイル等が楽曲放送端末３０Ｅに予め準備されていてもよいが、外部パック読込みボタンＡ８２の操作によってサーバ装置１０あるいは他の装置から必要に応じてダウンロードしてもよい。
【０１４９】
図１５は、確認画面の一例である。この確認画面Ｗ１３には、挙式情報表示欄Ａ８３、ＢＧＭ情報表示欄Ａ８４、及び楽曲表示欄Ａ８５が配置されている。
【０１５０】
挙式情報表示欄Ａ８３は、挙式日時、式場名、及びユーザ名が自動的に表示され、ＢＧＭ情報表示欄Ａ８４は、選択された楽曲パッケージ名が自動的に表示される。楽曲表示欄Ａ８５は、シーン名、シーンの中での曲順、曲名、アーティスト名等からなるスロット、あるいはＢＧＭを示すスロットを、放送順序に配列させたリスト形式で自動的に表示される。
【０１５１】
図１６は、放送画面の一例である。この放送画面Ｗ１４の操作によって楽曲の放送がなされる。画面は４パートから構成されている。第１のパートは楽曲の繋ぎ方法の事前設定部Ａ８６である。繋ぎ方法の種別に応じて４つの曲繋ぎ選択ボタンＡ８７が配置されており、その操作によって、放送全体を通じての楽曲と楽曲との繋ぎ方法が予め設定できる。なお放送途中であっても選択スイッチＡ８７を操作すれば繋ぎ方法が変更できる。
【０１５２】
楽曲の繋ぎ方法は、先に放送される楽曲の終了方法として通常（レベル制御なし）、フェードアウト（レベル制御あり）のいずれかと、後に放送される楽曲の開始方法として通常（レベル制御なし）、フェードイン（レベル制御あり）のいずれかとの組合わせであって、４種類が準備されている。
【０１５３】
第２のパートは、放送開始部Ａ８８であって、放送を開始させるためのスタートボタンＡ８９が配置されており、その操作によって最初の楽曲の再生、つまり放送が開始される。
【０１５４】
第３のパートは、現在放送中の楽曲を再生制御するための再生制御部Ａ９０である。この画面には、放送中の楽曲の曲名表示欄Ａ９１と、６つの再生制御ボタンＡ９２と、再生の進捗を示すプログレスバーＡ９３とが配置されている。曲名表示欄Ａ９１は、楽曲の再生が開始された時点で、該当の曲名が自動的に切換表示される。６つの再生制御ボタンＡ９２の中の第１、第２の再生制御ボタン（左側上下）はそれぞれ、通常のポーズボタン（一時停止）と、フェードアウトによるポーズボタンである。第３、第４の制御ボタン（中側上下）はそれぞれ、通常のプレイボタン（再開）と、フェードインによるプレイボタンである。第５、第６の制御ボタン（右側上下）はそれぞれ、通常（レベル制御なし）のフォワードボタン（次曲への途中切換）と、クロスフェード（レベル制御あり）によるフォワードボタンである。
【０１５５】
第４のパートは、次楽曲選択部Ａ９４であって、次に再生すべき楽曲の曲名表示欄Ａ９５と、次に放送すべき楽曲を逆送りさせる戻しボタンＡ９６と、順送りするための進めボタンＡ９７と、通常進行（ノーマル）、１曲リピート、シーンリピート、ＢＧＭのモード切換をするためのモード選択スイッチＡ９８とが配置されている。
【０１５６】
曲名表示欄Ａ９５は、楽曲の再生が開始された時点で、その次に再生すべき楽曲の曲名が自動的に切換表示される。戻しボタンＡ９６あるいは進めボタンＡ９７を操作すれば、次に再生すべき楽曲が逆送り、あるいは順送りされ、それに伴って曲名表示欄Ａ９５の曲名も切り替わる。
【０１５７】
モード選択スイッチＡ９８で選択されるモード中、通常進行（ノーマル）は、設定済みの放送順序に従って次曲を自動選択するモードであり、１曲リピートはその時点で次曲として選択されている楽曲を、その次も次曲として繰り返し選択するモードである。シーンリピートは同一シーンに属する複数の楽曲を次々に繰り返し選択するモードである。ＢＧＭは次曲としてＢＧＭを設定するモードである。これらのモードはいつでも切換られる。
【符号の説明】
【０１５８】
１０        サーバ装置
１０ａ      インタフェース部
１０ｃ      披露宴情報登録部
１０ｄ      推奨曲リスト生成部
１０ｅ      選曲登録部
１０ｆ      進捗管理部
１０ｇ      出力部
２０        インタフェース装置
３０        端末
３０Ｄ      メディア制作端末
３０Ｅ      楽曲放送端末
４０        ネットワーク
Ｗ９        進捗確認画面
Ｗ６        推奨曲リスト
【図１】
2014123351.tif 000003
【図２】
2014123351.tif 000004
【図３】
2014123351.tif 000005
【図４】
2014123351.tif 000006
【図５】
2014123351.tif 000007
【図６】
2014123351.tif 000008
【図７】
2014123351.tif 000009
【図８】
2014123351.tif 000010
【図９】
2014123351.tif 000011
【図１０】
2014123351.tif 000012
【図１１】
2014123351.tif 000013
【図１２】
2014123351.tif 000014
【図１３】
2014123351.tif 000015
【図１４】
2014123351.tif 000016
【図１５】
2014123351.tif 000017
【図１６】
2014123351.tif 000018